(57)【要約】【課題】バッテリの過充電の防止およびユーザの利便性が共に達成される。【解決手段】  バッテリの充電量を検知する充電量検知部と、充電回路を制御する充電制御部と、前記バッテリの放電がいつ開始されるかを特定する特定部と、を備え、前記充電制御部は、前記充電量検知部が検知する前記充電量に基づいて前記バッテリの満充電量より少ない準備充電量まで前記バッテリを充電し、前記バッテリの充電量が前記準備充電量に達したときに前記バッテリの充電を停止し、前記バッテリの放電が開始される前に前記準備充電量から前記バッテリの充電を再開する、充電抑制制御を行うように前記充電回路を制御する、情報処理装置。【選択図】図４
2018012055.tif 000002
【特許請求の範囲】
【請求項１】
バッテリの充電量を検知する充電量検知部と、
充電回路を制御する充電制御部と、
前記バッテリの放電がいつ開始されるかを特定する特定部と、を備え、
前記充電制御部は、前記充電量検知部が検知する前記充電量に基づいて前記バッテリの満充電量より少ない準備充電量まで前記バッテリを充電し、
前記バッテリの充電量が前記準備充電量に達したときに前記バッテリの充電を停止し、
前記バッテリの放電が開始される前に前記準備充電量から前記バッテリの充電を再開する、充電抑制制御を行うように前記充電回路を制御する、情報処理装置。
【請求項２】
前記バッテリを充電するための充電器が接続される充電端子をさらに備え、
過去に前記充電端子に前記充電器が接続された時刻および前記充電端子から前記充電器が取り外された時刻に関する充放電時刻情報に基づいて前記バッテリの放電が開始されるまでの充電可能時間を予測する、予測部をさらに備える、請求項１に記載の情報処理装置。
【請求項３】
前記特定部は、前記予測部が予測する前記充電可能時間に基づいて、前記バッテリの放電が開始される時刻を特定する、請求項２に記載の情報処理装置。
【請求項４】
前記予測部は、１以上の週の前記充放電時刻情報に基づいて前記充電可能時間を導出する、請求項３に記載の情報処理装置。
【請求項５】
前記予測部は、前記１以上の週において対応する曜日の前記充放電時刻情報に基づいて前記充電可能時間を導出する、請求項４に記載の情報処理装置。
【請求項６】
前記予測部は、前記１以上の週の異なる週の前記充放電時刻情報に対して異なる重みづけを行うことにより、前記充電可能時間を導出する、請求項４に記載の情報処理装置。
【請求項７】
前記充電制御部は、前記充電可能時間が所定の時間以上ある場合、前記充電抑制制御を行う、請求項２に記載の情報処理装置。
【請求項８】
前記特定部は、前記情報処理装置の状態に基づいて前記準備充電量から充電を再開する時刻を変更する、請求項２に記載の情報処理装置。
【請求項９】
前記充電制御部は、前記準備充電量まで段階的に前記バッテリを充電するように、前記充電回路を制御する、請求項１に記載の情報処理装置。
【請求項１０】
前記充電制御部は、前記準備充電量まで前記バッテリを充電するとき、所定時間ごとに前記バッテリを充電するように前記充電回路を制御する、請求項９に記載の情報処理装置。
【請求項１１】
前記充電制御部は、前記準備充電量まで前記バッテリを充電するとき、所定の充電量ごとに前記バッテリを充電するように前記充電回路を制御する、請求項９に記載の情報処理装置。
【請求項１２】
表示部と、
前記表示部に表示する情報を生成する処理部と、をさらに備え、
前記処理部は、前記充電抑制制御が行われていることを示す表示を前記表示部に表示する、請求項１に記載の情報処理装置。
【請求項１３】
アプリケーションを実行する処理部をさらに備え、
前記特定部は、前記アプリケーションからの情報に基づいて前記バッテリの放電が開始される時刻を特定する、請求項１に記載の情報処理装置。
【請求項１４】
前記アプリケーションは目覚まし機能を有するアプリケーションであり、
前記特定部は、前記目覚まし機能が実行される時刻を前記バッテリの放電が開始される時刻として特定する、請求項１３に記載の情報処理装置。
【請求項１５】
前記アプリケーションはカレンダー機能を有するアプリケーションであり、
前記カレンダー機能を有するアプリケーションにおいて特定の予定が設定されている場合、前記特定部は、前記特定の予定が設定されている時刻を前記バッテリの放電が開始される時刻として特定する、請求項１３に記載の情報処理装置。
【請求項１６】
他の情報処理装置からの情報に基づいて充電可能時間を予測する予測部を備える、請求項１に記載の情報処理装置。
【請求項１７】
前記他の情報処理装置からの情報は、前記他の情報処理装置が備える前記他の情報処理装置の動きを検知するセンサに基づく情報である、請求項１６に記載の情報処理装置。
【請求項１８】
バッテリの充電量を検知する充電量検知部と、
充電回路を制御する充電制御部と、
前記バッテリの放電がいつ開始されるかを特定する特定部と、を備え、
前記充電制御部は、前記充電量検知部が検知する前記充電量に基づいて前記バッテリの満充電量より少ない準備充電量まで前記バッテリを充電し、
前記バッテリの充電量が前記準備充電量に達したときに前記バッテリの充電を停止し、
前記バッテリの放電が開始される前に前記準備充電量から前記バッテリの充電を再開する、充電抑制制御を行うように前記充電回路を制御する、情報処理システム。
【請求項１９】
バッテリの充電量を検知することと、
前記バッテリの放電がいつ開始されるかを特定することと、
検知された前記バッテリの前記充電量に基づいて前記バッテリの満充電量より少ない準備充電量まで前記バッテリを充電することと、
前記バッテリの充電量が前記準備充電量に達したときに前記バッテリの充電を停止することと、
前記バッテリの放電が開始される前に前記準備充電量から前記バッテリの充電を再開する、充電抑制制御を行うように充電回路を制御することと、を含む充電方法。
【発明の詳細な説明】
【技術分野】
【０００１】
本開示は、情報処理装置、情報処理システム、充電方法に関する。
【背景技術】
【０００２】
充電可能なバッテリを有する情報処理装置において、バッテリの充電量が高い状態（過充電状態）でバッテリが維持されると、バッテリの性能が劣化することが知られている。この過充電状態でバッテリが長時間維持されることを防ぐための充電制御方法が検討されている。【０００３】
特許文献１には、上述した過充電状態でバッテリが維持されないようにバッテリの充電量を制御するバッテリ充放電制御装置が開示されている。特許文献１に開示されているバッテリ充放電制御装置は、充電器が接続されたことと、バッテリの充電量とを判定する。また特許文献１に開示されているバッテリ充放電制御装置は、判定された結果に応じてバッテリの充電を行うか否かを決定する。
【先行技術文献】
【特許文献】
【０００４】
【特許文献１】特開２００４−２３６４２６号公報
【発明の概要】
【発明が解決しようとする課題】
【０００５】
上述した特許文献１に開示されたバッテリ充放電制御装置では、バッテリの過充電は考慮されているものの、ユーザの利便性については考慮されていない。つまり、特許文献１に開示されたバッテリ充放電制御装置では、バッテリは低い充電量で保たれるため、ユーザが装置を使用したいときに、バッテリが充分に充電されていないこととなる。よって本開示では、バッテリの過充電の防止およびユーザの利便性が共に考慮された情報処理装置を提案する。
【課題を解決するための手段】
【０００６】
本開示によれば、バッテリの充電量を検知する充電量検知部と、充電回路を制御する充電制御部と、前記バッテリの放電がいつ開始されるかを特定する特定部と、を備え、前記充電制御部は、前記充電量検知部が検知する前記充電量に基づいて前記バッテリの満充電量より少ない準備充電量まで前記バッテリを充電し、前記バッテリの充電量が前記準備充電量に達したときに前記バッテリの充電を停止し、前記バッテリの放電が開始される前に前記準備充電量から前記バッテリの充電を再開する、充電抑制制御を行うように前記充電回路を制御する、情報処理装置が提供される。【０００７】
また、本開示によれば、バッテリの充電量を検知する充電量検知部と、充電回路を制御する充電制御部と、前記バッテリの放電がいつ開始されるかを特定する特定部と、を備え、前記充電制御部は、前記充電量検知部が検知する前記充電量に基づいて前記バッテリの満充電量より少ない準備充電量まで前記バッテリを充電し、前記バッテリの充電量が前記準備充電量に達したときに前記バッテリの充電を停止し、前記バッテリの放電が開始される前に前記準備充電量から前記バッテリの充電を再開する、充電抑制制御を行うように前記充電回路を制御する、情報処理システムが提供される。【０００８】
また、本開示によれば、バッテリの充電量を検知することと、前記バッテリの放電がいつ開始されるかを特定することと、検知された前記バッテリの前記充電量に基づいて前記バッテリの満充電量より少ない準備充電量まで前記バッテリを充電することと、前記バッテリの充電量が前記準備充電量に達したときに前記バッテリの充電を停止することと、前記バッテリの放電が開始される前に前記準備充電量から前記バッテリの充電を再開する、充電抑制制御を行うように充電回路を制御することと、を含む充電方法が提供される。
【発明の効果】
【０００９】
以上説明したように本開示によれば、バッテリの過充電を抑制し、またユーザにとって利便性の高いバッテリの充電方法が提供される。【００１０】
なお、上記の効果は必ずしも限定されず、上記の効果とともに、または上記の効果に代えて、本明細書に示されたいずれかの効果、または本明細書から把握され得る他の効果が奏されてもよい。
【図面の簡単な説明】
【００１１】
【図１】図１は、本開示の実施形態の情報処理装置の外観の一例を示す図である。
【図２】図２は、本開示の実施形態の情報処理装置の構成の一例を示すブロック図である。
【図３】図３は、従来の充電方法の一例を示す図である。
【図４】図４は、本開示の実施形態の情報処理装置において実行される充電抑制制御の一例を示す図である。
【図５】図５は、携帯電話において、充電が開始された時刻および放電が開始された時刻の一例を表す図である。
【図６】図６は、本開示の実施形態の情報処理装置において予測される充電可能時間の一例を示す図である。
【図７】図７は、本開示の実施形態の情報処理装置において予測される充電可能時間が学習される過程の一例を示す図である。
【図８】図８は、本開示の実施形態の情報処理装置において予測される充電可能時間が学習される過程の一例を示す図である。
【図９】図９は、本開示の実施形態の情報処理装置において予測される充電可能時間が学習される過程の一例を示す図である。
【図１０】図１０は、本開示の実施形態の情報処理装置において実行される充電抑制制御の一例の処理を示すフロー図である。
【図１１】図１１は、本開示の実施形態の情報処理装置において表示される表示画面の一例を示す図である。
【図１２】図１２は、本開示の実施形態の情報処理装置において実行される充電抑制制御の他の例を示す図である。
【図１３】図１３は、本開示の実施形態の情報処理装置において表示される表示画面の一例を示す図である。
【図１４】図１４は、本開示の実施形態の情報処理装置において実行される充電抑制制御が解除されたときに行われる処理の例を示す図である。
【図１５】図１５は、本開示の実施形態の情報処理装置において実行される充電抑制制御の他の例を示す図である。
【図１６】図１６は、本開示の実施形態の情報処理装置において実行される充電抑制制御の他の例の処理を示すフロー図である。
【図１７】図１７は、本開示の実施形態の情報処理装置において実行される充電抑制制御の他の例の処理を示すフロー図である。
【図１８】図１８は、本開示の実施形態の情報処理装置と他の情報処理装置が無線接続される一例を示す図である。
【図１９】図１９は、本開示の実施形態の他の情報処理装置において算出されるユーザの活動量の一例を示す図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行う。
１．情報処理装置の構成
１−１．情報処理装置の外観
１−２．情報処理装置の内部構成
２．充電抑制制御の処理例
２−１．充電抑制制御による充電方法
２−２．充電可能時間の予測方法
２−３．充電抑制制御における各部の動作
２−４．段階的に充電を行う充電抑制制御
２−５．充電抑制制御の解除
２−６．充電器が取り外された場合の処理例
２−７．正確度が用いられる充電抑制制御
３．アプリケーションからの情報を用いた充電抑制制御
４．他の情報処理装置からの情報に基づく充電抑制制御
５．補足
６．むすび
【００１４】
＜＜１．情報処理装置の構成＞＞
＜１−１．情報処理装置の外観＞
図１は、本開示の実施形態の情報処理装置の一例である携帯電話１００の外観を示す図である。本開示の実施形態の携帯電話１００は、スピーカおよびマイクロフォンを備え、移動体通信ネットワークに含まれる基地局と通信することによって他の端末と通信できる。また、携帯電話１００は、情報を表示する表示部１０２を備え、また表示部１０２に形成されたタッチパネルを備える。ユーザはタッチパネルを用いて操作することによって、携帯電話１００の様々な機能またはアプリケーションに関する操作を行う。
【００１５】
また携帯電話１００は、ＵＳＢ（Ｕｎｉｖｅｒｓａｌ  Ｓｅｒｉａｌ  Ｂｕｓ）端子などの充電器が接続される充電端子１０４を備える。携帯電話１００に備えられるバッテリは、充電端子１０４に充電器が接続されることによって充電される。なお、充電器はＵＳＢ端子に限られず、携帯電話１００のために専用に用意された充電器であってもよい。
【００１６】
また、携帯電話１００は、携帯電話１００の状態を示す発光部１０６を備える。例えば発光部１０６は、携帯電話１００のバッテリが充電されているときに発光することによって、バッテリが充電されていることを示す。なお、本開示の充電制御が適用される情報処理装置は、充電可能なバッテリへの充電を制御する装置であればよく、携帯電話１００に限られない。例えば情報処理装置は、充電可能なバッテリを備えたパーソナルコンピュータであってもよく、デジタルカメラであってもよく、ウェアラブル端末であってもよい。
【００１７】
＜１−２．情報処理装置の内部構成＞
以上では、本開示の実施形態の携帯電話１００の外観が説明された。以下では、本開示の実施形態の携帯電話１００の内部構成について説明される。図２は、携帯電話１００の構成を示すブロック図である。本開示の携帯電話１００は、上述した表示部１０２と、発光部１０６と、タッチパネル１０８と、を備えさらにセルラ通信部１１０を備える。
【００１８】
上述したように表示部１０２は、携帯電話１００の機能および携帯電話１００において実行されるアプリケーションに関する情報を表示する。なお表示部１０２は、液晶ディスプレイであってもよく、有機ＥＬ（Ｅｌｅｃｔｒｏ  Ｌｕｍｉｎｅｓｃｅｎｃｅ）ディスプレイであってもよい。
【００１９】
タッチパネル１０８は、ユーザが携帯電話１００の機能およびアプリケーションの操作を行うために使用される。タッチパネル１０８は、液晶ディスプレイまたは有機ＥＬディスプレイ上に外付けされてもよく、また液晶ディスプレイまたは有機ＥＬディスプレイと一体的に形成されてもよい。
【００２０】
また発光部１０６は、携帯電話１００の状態を表すために用いられる。例えば発光部１０６は、携帯電話１００の状態に応じて異なる色で発光してもよい。なお発光部１０６は、ＬＥＤ（Ｌｉｇｈｔ  Ｅｍｉｔｔｉｎｇ  Ｄｉｏｄｅ）を用いて形成されてもよい。
【００２１】
セルラ通信部１１０は、他の装置と通信するために用いられる。例えばセルラ通信部１１０が移動体ネットワークの基地局と通信することによって、携帯電話１００は携帯電話網またはインターネットなどに接続される。なお、セルラ通信部１１０は、ＬＴＥ（Ｌｏｎｇ  ｔｅｒｍ  ｅｖｏｌｕｔｉｏｎ）などの３ＧＰＰで策定された無線通信用インタフェースであってもよい。
【００２２】
また、携帯電話１００は、処理部１１２と、記憶部１１４と、予測部１１６と、時刻特定部１１８と、を有する。処理部１１２は、携帯電話１００の各部と接続され、様々な処理を実行する。例えば、処理部１１２は、携帯電話１００が有する機能およびアプリケーションを実行する。携帯電話１００が有する機能およびアプリケーションとしては、例えばメール、ショートメッセージ、ソーシャルネットワーキングサービス、写真撮影、音楽再生、ブラウジング機能、地図表示、目覚まし機能、カレンダー機能などが含まれる。また、処理部１１２は、表示部１０２に表示する情報を生成し、またタッチパネル１０８からの信号を処理する。
【００２３】
記憶部１１４は、各種のデータを記憶する。記憶部１１４は、例えば携帯電話１００で使用されるＯＳ（Ｏｐｅｒａｔｉｎｇ  Ｓｙｓｔｅｍ）に関する情報、予測部１１６によって使用されるデータ、携帯電話１００で実行されるアプリケーションに関する情報などを記憶する。予測部１１６は、充電器が携帯電話１００に接続されたときから、バッテリ１２６から放電が開始されるであろうときまでの充電可能時間を予測する。時刻特定部１１８は、予測部１１６が予測した充電可能時間に基づいてバッテリ１２６からの放電が開始される時刻（タイミング）を特定する。充電可能時間の予測方法については後述する。
【００２４】
また、携帯電話１００は、充電制御部１２０と、充電回路１２２と、充電量検知部１２４と、バッテリ１２６と、を有する。充電制御部１２０は、時刻特定部１１８が特定した放電開始時刻および充電量検知部１２４が検知するバッテリ１２６の充電量等に基づいて、後述する充電抑制制御を行うように充電回路１２２を制御する。なお、充電量検知部１２４は、バッテリ１２６の電圧および電流を検出してバッテリ１２６の充電量を判定してもよく、またバッテリ１２６に流入および流出した電流を測定することによってバッテリ１２６の充電量を判定してもよい。
【００２５】
充電回路１２２は、充電制御部１２０からの制御に基づいて、給電経路を切り替える。つまり充電回路１２２は、充電制御部１２０からの制御によって給電経路をバッテリ側に設けることによってバッテリ１２６を充電し、バッテリ１２６への給電経路を切断することによってバッテリ１２６への充電を停止する。また充電回路１２２は、給電経路を充電制御部１２０側に設けることによって、充電端子１０４から給電される電力をバッテリ１２６を通さずに携帯電話１００の各部に給電を行う。
【００２６】
＜＜２．充電抑制制御の処理例＞＞
＜２−１．充電抑制制御による充電方法＞
以上では、本実施形態の情報処理装置の一例である携帯電話１００の構成について説明された。以下では、本実施形態の情報処理装置において実行される充電抑制制御の処理例について説明される。図３は、本開示の充電抑制制御と対比される、通常の充電方法を示す図である。
【００２７】
図３に示されるように通常の充電方法では携帯電話１００の充電端子１０４に充電器が接続されると、バッテリ１２６は満充電になるまで（１００％になるまで）連続的に充電される。従って通常の充電方法では、バッテリ１２６が満充電されてから、図３においてＰで示される、ユーザが携帯電話１００の使用を開始する時点（つまり、携帯電話１００の充電端子１０４から充電器が取り外される時点）まで、バッテリ１２６は充電量が高い状態で長時間維持される。これは上述したように一般的に過充電状態といわれ、この過充電状態が継続することによって、バッテリ１２６の性能が劣化する。
【００２８】
上述した問題を考慮して、本開示の情報処理装置では、図４に示されるような充電抑制制御が実行される。本開示における充電抑制制御では、Ｐ０において携帯電話１００の充電端子１０４に充電器が接続されると、Ｐ４で示される携帯電話１００の充電端子１０４から充電器が取り外される時刻が特定される。
【００２９】
バッテリ１２６が初期値からＴで表される所定の充電量（例えば満充電の９０％）である準備充電量まで充電される。そしてバッテリ１２６が準備充電量まで充電されると、バッテリ１２６への充電は停止される。このとき、充電制御部１２０は、バッテリ１２６への給電経路を切断するように充電回路１２２を制御する。これにより充電器から給電される電力は、充電制御部１２０を介して携帯電話１００の各部に直接給電される。
【００３０】
そして特定された放電開始時刻から充電量がＴから満充電になるまでにかかる時間とマージンを引いた時刻であるＰ２の時点まで、バッテリ１２６の充電量は所定の閾値である準備充電量（閾値Ｔ）で維持される。そしてＰ２の時点において、バッテリ１２６への充電が再開される。充電量がＴから満充電になるまでにかかる時間とマージンを引いた時間は、バッテリの特性から固定値を算出する場合と、使用時のバッテリの履歴から算出する場合がある。
【００３１】
Ｐ２において、バッテリ１２６への充電が再開されると、Ｐ３の時点においてバッテリ１２６は満充電される。なお、Ｐ３からＰ４までの時間は、バッテリ１２６が準備充電量から満充電まで確実に充電されるように設けられたマージンである。このマージンは、携帯電話１００の状態（温度など）によって、バッテリ１２６が準備充電量から満充電まで充電される時間が変わることに対応するために設けられている。また、バッテリ１２６が準備充電量から満充電まで充電される時間は、バッテリ１２６を充電するモードによっても変わる。バッテリ１２６を充電するモードとは、例えば急速充電であり、またバッテリ１２６の充電量が１００％に近づくにつれて緩やかに充電を行うようなモードである。
【００３２】
以上説明されたように、本開示の情報処理装置では、バッテリ１２６の充電が準備充電量で停止され、特定された放電開始時刻に基づいて充電が再開される充電抑制制御が行われる。これによってバッテリ１２６が過充電状態で維持される時間が短くされるとともに、ユーザが情報処理装置を使用したいときにバッテリ１２６が満充電されるので、ユーザにとって利便性が高い充電方法が提供される。
【００３３】
なお、上述した充電抑制制御において、充電が開始された時点（Ｐ０）から、充電端子１０４から充電器が取り外されることが予測される時刻（Ｐ４）までの間が所定の時間以上あるか否かが判定されてもよい。そしてＰ０からＰ４までの充電可能であると予測される充電可能時間が所定時間以上ある場合に、上記のような充電制御が行われてもよい。このように充電可能時間が上述の充電抑制制御を行うためには短すぎる場合には、上述の充電抑制制御が行われずに通常の充電が行われる。これによって、充電が一旦停止されることによってバッテリ１２６が満充電されない可能性を少なくすることができる。この充電可能時間については後に詳述される。
【００３４】
＜２−２．充電可能時間の予測方法＞
以上では、本開示の情報処理装置で行われる充電抑制制御について説明された。以下では、本開示の充電抑制制御で用いられる充電可能時間の予測方法について説明される。図５は、ユーザが携帯電話１００の充電および使用を開始した時刻の関係の一例を表す図である。図５においてユーザは、月曜日の１０時に充電を開始し、１６時に携帯電話１００の充電を終了している。つまり、図５において「充電開始」は、ユーザが充電を行うために携帯電話１００の充電端子１０４に充電器を接続したことを意味し、「放電開始」は、ユーザが携帯電話１００を使用するために携帯電話１００の充電端子１０４から充電器を取り外したことを意味する。予測部１１６は、図５で示されるような、携帯電話１００の充電端子１０４に充電器が接続された時刻および充電端子１０４から充電器が取り外された時刻に関する充放電時刻情報に基づいて充電可能時間を予測する。
【００３５】
具体的には例えば、予測部１１６は、図５に示される充電開始時刻および放電開始時刻に関する充放電時刻情報を記憶部１１４に記憶させる。そして予測部１１６は、これらの記憶された充放電時刻情報に基づいて、月曜日では１６時にバッテリ１２６からの放電が開始されることを予測するようになり、この情報に基づいて充電可能時間を予測する。なお予測部１１６は、充放電時刻情報を曜日ごとに１週間以上記憶部１１４に記憶させ、対応する曜日の充放電時刻情報に基づいて充電可能時間を予測する。
【００３６】
図６は、予測部１１６が導出する、充電可能時間の一例を示す図である。図６では、横軸で示されるそれぞれの「時刻」において携帯電話１００の充電が開始されたときに、どれくらいの時間充電が可能であるかが示されている。図６は、１０時付近で充電が開始され、１６時付近でバッテリ１２６から放電が開始されることが多いときに、予測部１１６によって導出される充電可能時間を示している。図６からわかるように、１０時に充電が開始されると、予測部１１６は充電可能時間は６時間であると予測する。図６に示されるように、充電開始時刻が、バッテリ１２６からの放電が予測される１６時に近づくにつれて、充電可能時間は短くなる。
【００３７】
図７から図９は、図６で示された充電可能時間が学習される過程が示される図である。図７は、学習を開始する前の１週間の各曜日の状態を表す図である。図８は、予測部１１６が充電可能時間を学習し始めてから２日経過した後の充電可能時間に関するデータを表す図である。また図９は、予測部１１６が充電可能時間を学習し始めてから１週間経過した後の充電可能時間に関するデータを表す図である。図８および図９からわかるように、予測部１１６は、曜日ごとに充電可能時間を導出する。
【００３８】
記憶部１１４は、図９に示されるような充電可能時間に関するデータを記憶する。そして予測部１１６は、携帯電話１００に充電器が接続された時刻と、記憶部１１４に記憶されている充電可能時間に関するデータに基づいて、充電がどの程度の時間可能かを予測する。そして上述したように、充電制御部１２０は、この充電可能時間が所定時間以上ある場合に、本開示の充電抑制制御を行ってもよい。このように充電可能時間が用いられることによって、充電できる時間が短すぎるために、充電抑制制御が行われたときに十分にバッテリ１２６が充電されないことが回避される。
【００３９】
また、予測部１１６は２週間分の充放電時刻情報を用いて充電可能時間を学習してもよい。これは、近年のバッテリは容量が大きいため、例えばユーザが２日に一度バッテリ１２６の充電を行うことが考えられるからである。つまり、１週間分の充放電時刻情報を用いて充電可能時間が学習される場合、充放電時刻情報が得られない日（曜日）が存在することとなる。これを防止するため、例えば、充放電時刻情報が得られなかった日の充放電時刻情報については、前の週の対応する曜日の充放電時刻情報を用いて、充電可能時間が学習されてもよい。
【００４０】
また、予測部１１６は４週間分の充放電時刻情報を用いて充電可能時間を学習してもよい。そして予測部１１６は、異なる週の充放電時刻情報に異なる重みづけを行って充電可能時間を導出してもよい。例えば予測部１１６は、４週間前の火曜日の充放電時刻情報に係数１を掛け、３週間前の火曜日の充放電時刻情報に係数２を掛け、２週間前の火曜日の充放電時刻情報に係数３を掛け、直近の火曜日の充放電時刻情報に係数４を掛けて、充電可能時間を導出してもよい。
【００４１】
これによって、４週間分の移動平均を用いて充電可能時間が導出されるため、より正確に充電可能時間が予測される。また、現在から近い週の順に重みづけを重くすることによって、直近のユーザの行動を反映した充電可能時間が予測される。
【００４２】
また予測部１１６は、記憶部１１４に記憶されている休日に関する情報を用いて充電可能時間を学習してもよい。ユーザの行動は、休日と平日とで異なることが多い。例えば、ユーザは、平日と休日では異なる時間に起床することが考えられる。充電可能時間を正確に予測するためには類似する情報が用いられることが好ましいので、予測部１１６は、休日における充電可能時間を休日の充放電時刻情報を用いて学習し、また平日における充電可能時間を平日の充放電時刻情報を用いて学習する。
【００４３】
ここで休日か否かは、カレンダーに通常休日と設定されている曜日（例えば土曜日と日曜日）または祝日に関する情報に基づいて判定されてもよい。また休日はユーザによって異なるので、ユーザが休日を設定できてもよい。また休日、特に祝日は国によって異なるため、予測部１１６は取得される位置情報を用いて国を判定し、その国の休日に関する情報を用いて充電可能時間を学習してもよい。これによって、休日におけるユーザの行動または平日におけるユーザの行動に応じた充電可能時間が正確に予測される。
【００４４】
＜２−３．充電抑制制御における各部の動作＞
以上では、本開示の充電抑制制御で用いられる充電可能時間の予測方法について説明された。以下では、本開示の充電抑制制御の処理における各部の動作についてフロー図を用いて説明される。最初に図１０のＳ１００において、携帯電話１００の充電端子１０４に充電器が接続されることによって、充電が開始される。
【００４５】
次にＳ１０２において、予測部１１６は充電可能時間を予測し、予測された充電可能時間を時刻特定部１１８に送る。なお、具体的には図６から９を用いて説明された充電可能時間に関するデータを用いて予測部１１６は充電可能時間を予測する。時刻特定部１１８は、予測される充電可能時間を予測部１１６から受け取り、現在の時刻に受け取った充電可能時間を加えることによって放電開始時刻を特定する。
【００４６】
そしてＳ１０４において充電制御部１２０は、予測部１１６が予測した充電可能時間に基づいて、充電可能時間が所定時間以上（例えば４時間以上）あるか否かを判定する。ここで充電可能時間が所定時間未満であるとき、充電制御部１２０は、通常の充電を行うように充電回路１２２を制御する（Ｓ１０８）。このように充電制御部１２０を構成することによって、充電可能時間が短すぎるために充電制御部１２０が充電抑制制御を行うことができない場合であっても、通常の充電が行われるようにすることができる。
【００４７】
Ｓ１０４において充電制御部１２０が、充電可能時間が所定時間以上あると判定すると、処理はＳ１０６に進む。Ｓ１０６では、充電量検知部１２４が検知するバッテリ１２６の充電量に基づいて、充電制御部１２０はバッテリ１２６の充電量が準備充電量に達したか否かを判定する。Ｓ１０６においてバッテリ１２６の充電量が準備充電量に達すると、Ｓ１１０において充電制御部１２０はバッテリ１２６の充電を一旦停止するように充電回路１２２を制御する。
【００４８】
次に時刻特定部１１８は、現在の時刻が放電開始時刻の所定時間前（例えば９０分前）か否かを判定する。Ｓ１１２において時刻特定部１１８が、現在時刻は予測された放電開始時刻の所定時間前であると判定すると、Ｓ１１４において充電制御部１２０はバッテリ１２６の充電を再開するように充電回路１２２を制御する。
【００４９】
次にＳ１１６において、充電制御部１２０は、充電量検知部１２４が検知するバッテリ１２６の充電量に基づいてバッテリ１２６が満充電されたか否かを判定する。Ｓ１１６において充電制御部１２０が、バッテリ１２６が満充電されたと判定すると、充電制御部１２０はバッテリ１２６の充電を停止するように充電回路１２２を制御し、処理は終了する。
【００５０】
なお上述したように、Ｓ１１２において時刻特定部１１８は、携帯電話１００の状態に基づいてバッテリ１２６の充電を再開する時刻を特定してもよい。携帯電話１００の状態は、例えば携帯電話１００が有する温度センサで計測される温度に基づく状態である。また、時刻特定部１１８は、携帯電話１００の充電モードに基づいてバッテリ１２６の充電を再開する時刻を特定してもよい。これは上述したバッテリ１２６が準備充電量から満充電まで確実に充電されるように設けられたマージン（図４におけるＰ３からＰ４までの時間）を短くするために行われる。バッテリ１２６を充電するモードとは、例えば急速充電であり、またバッテリ１２６の充電量が１００％に近づくにつれて緩やかに充電を行うようなモードである。つまり、携帯電話１００の状態または充電モードに基づいて、時刻特定部１１８が充電を再開する時刻を変更することによって、バッテリ１２６が過充電状態で維持される時間をより短くすることができる。
【００５１】
具体的には、携帯電話１００の状態または充電モードによってバッテリ１２６が準備充電量から満充電まで充電される時間が長くかかる場合、時刻特定部１１８は上述したマージンを長くする。また、バッテリ１２６が準備充電量から満充電まで充電される時間が短い場合、時刻特定部１１８は上述したマージンを短くする。また記憶部１１４は、バッテリ１２６が準備充電量から満充電されるまでの時間と、携帯電話１００が有する温度センサで計測される温度とを対応付けて記憶してもよく、時刻特定部１１８はこのデータを用いて充電を再開する時刻を特定してもよい。これによって携帯電話１００または携帯電話１００の周囲の温度に適したマージンが設定される。
【００５２】
なお、処理部１１２は、上述した充電抑制制御が行われていることを示す表示を表示部１０２に表示してもよい。図１１は、充電抑制制御が行われていることを示す充電モード表示アイコン１３０を表す図である。例えば充電モード表示アイコン１３０は、表示部１０２に表示されるステータスバー１２８内に表示されてもよい。また、充電抑制制御が行われていることを示すダイアログが、表示部１０２に表示されてもよい。このように充電抑制制御が行われていることを示す表示が表示されることによって、ユーザは現在どのモードで充電が行われているかを容易に確認することができる。
【００５３】
また、上述した充電抑制制御が行われていることは、発光部１０６を用いて示されてもよい。具体的には、発光部１０６は現在実行されている充電モードに応じて発光する光の色を変更してもよい。例えば、本開示の充電抑制制御を行わない通常の充電が行われている場合、発光部１０６は赤色で発光してもよい。また、本開示の充電抑制制御を用いた充電が行われている場合、発光部１０６は緑色で発光してもよい。このように構成することによって、ユーザは、表示部１０２を点灯させない状態（例えばスリープ状態）であっても、容易に充電されているモードを確認することができる。
【００５４】
また上述した例では、充電可能時間の予測および放電開始時刻の特定が、充電が開始された時点で行われた。しかし、充電可能時間の予測および放電開始時刻の特定は、バッテリ１２６の充電量が準備充電量に達した時点で行われてもよい。つまり、バッテリ１２６が準備充電量に達するまでは通常の充電が行われる。そしてバッテリ１２６の充電量が準備充電量に達したときに、充電可能時間の予測および放電開始時刻の特定が行われてもよい。
【００５５】
＜２−４．段階的に充電を行う充電抑制制御＞
以上では、本開示の充電抑制制御の一例について説明された。以下では、本開示の充電抑制制御の他の例について説明される。図１２は、本開示の充電抑制制御の他の制御例を示す図である。図１２と図４を比較すると、バッテリ１２６が初期値から準備充電量（閾値Ｔ）まで充電される過程が異なっていることがわかる。つまり、図４においては、バッテリ１２６は初期値から準備充電量まで連続的に充電されている一方、図１２においては、バッテリ１２６は初期値から準備充電量まで段階的に充電されている。
【００５６】
ここで、初期値から準備充電量までのバッテリ１２６の充電方法は、所定の時間ごと（例えば１時間ごと）に充電の停止および再開を繰り返す方法でもよい。また初期値から準備充電量までのバッテリ１２６の充電方法は、所定の充電量に達するごとに充電の停止および再開を繰り返す方法であってもよい。例えば、充電制御部１２０は、バッテリ１２６の充電量が１０％ずつ増えるごとに充電を停止し、所定時間後に充電を再開するように制御してもよい。つまりバッテリ１２６の充電量の初期値が３８％であった場合、充電制御部１２０は充電量が４８％、５８％、６８％になったときに充電を一旦停止してもよい。
【００５７】
また、充電制御部１２０は、所定の充電量が充電されるごとに充電の停止および再開を繰り返してもよい。例えば、充電制御部１２０は、バッテリ１２６が１０％充電されるごとに充電を停止し、所定時間後に充電を再開するように制御してもよい。つまりバッテリ１２６の充電量の初期値が３８％であった場合、充電制御部１２０は充電量が４０％、５０％、６０％になったときに充電を一旦停止してもよい。
【００５８】
以上説明されたように、バッテリ１２６が初期値から準備充電量まで段階的に充電されることによって、バッテリ１２６はより長い間充電量が低い状態で維持される。つまりバッテリ１２６が所定の閾値Ｔである準備充電量以下の充電量で維持される時間が長く確保される。これによって、より効果的にバッテリ１２６の劣化を防ぐことができる。
【００５９】
＜２−５．充電抑制制御の解除＞
以上では、バッテリ１２６が段階的に準備充電量まで充電される充電抑制制御の例について説明された。以下では、本開示の充電抑制制御の解除方法について説明される。上述したように本開示の充電抑制制御では、予測された放電開始時刻の前に、満充電より少ない準備充電量でバッテリ１２６の充電が一旦停止される。しかしながら、ユーザの予定が急遽変更され、予測部１１６が予測した放電開始時刻よりも前にユーザが携帯電話１００の使用を開始することが考えられる。このとき、ユーザは充電抑制制御を解除し、すぐに準備充電量から満充電までバッテリ１２６の充電を行えることが好ましい。
【００６０】
図１３は、上述した本開示の充電抑制制御を解除するために用いられる表示画面の一例を示す図である。ここで、領域１３２には、図１１を用いて説明された充電モード表示アイコン１３０と同様の表示が表示されており、また充電抑制制御が行われていることを示すメッセージが表示されている。さらに領域１３２には、特定された放電開始時刻が表示されている。ユーザは、領域１３２をタップすることによって、充電抑制制御を解除でき、通常の充電モードでバッテリ１２６を充電することができる。
【００６１】
図１４は、本開示の充電抑制制御が解除された場合の充電制御が示される図である。図１４では、ユーザがＰ５の時点において充電抑制制御を解除した例が説明される。なお、図１４では、実線で継続して充電抑制制御が行われた場合の制御が示され、点線で充電抑制制御が解除された場合の制御が示される。
【００６２】
上述したように、本開示の充電抑制制御では準備充電量までバッテリ１２６が充電されると、Ｐ１の時点で一旦充電は停止される。そしてＰ５の時点までバッテリ１２６の充電量は準備充電量に維持され、Ｐ５の時点で充電抑制制御が解除される。充電抑制制御が解除されると、解除された時点（Ｐ５の時点）から充電が再開され、Ｐ６の時点でバッテリ１２６は満充電される。上述したように携帯電話１００が構成されることによって、ユーザは容易に充電抑制制御を解除することができ、急な予定の変更にも対応することができる。
【００６３】
また、携帯電話１００が、加速度センサまたはジャイロセンサなどの携帯電話１００の動きを検知する動きセンサを備えている場合、ユーザが携帯電話１００を所定の加速度以上で振ることによって、充電抑制制御は解除されてもよい。このように携帯電話１００が構成されることによって、ユーザは、表示部１０２に表示された表示内容を操作することなく、より迅速に充電抑制制御を解除することができる。これは、急な予定変更に対応しなくてはならないユーザにとって非常に有益である。
【００６４】
また、ユーザに充電抑制制御が解除されたことを示す表示（例えばメッセージ）が表示部１０２に表示されてもよい。また充電抑制制御が解除されたとき、上述したように発光部１０６が異なる色の発光を行うことによって、ユーザに充電抑制制御が解除されたことを通知してもよい。また、充電抑制制御が解除されたことが音声によってユーザに通知されてもよい。
【００６５】
＜２−６．充電器が取り外された場合の処理例＞
以上では、本開示の充電抑制制御が、ユーザの操作によって解除される例が説明された。以下では、本開示の充電抑制制御中において、満充電完了前に携帯電話１００の充電端子１０４から充電器が取り外された場合の処理について説明される。
【００６６】
以下では、ユーザが意図して充電器を携帯電話１００から取り外してもよく、またユーザが意図せず充電器が携帯電話１００から取り外されてもよい。例えば、ユーザが意図して充電器を携帯電話１００から取り外す場合の例は、充電の途中でユーザが他者からのメッセージを確認するために携帯電話１００のアプリケーションを起動することなどが考えられる。また、ユーザが意図せず充電器が携帯電話１００から取り外される場合の例は、ユーザが誤って充電器から携帯電話１００を落としてしまうことなどが考えられる。
【００６７】
図１５では、Ｐ７の時点において充電器が携帯電話１００の充電端子１０４から取り外された例が説明される。なお、図１５では、点線で充電抑制制御中において、満充電完了前に携帯電話１００の充電端子１０４から充電器が取り外される場合の制御が示され、実線で充電器が取り外されない場合の制御が示される。
【００６８】
図１５の点線で示されるように、Ｐ７において充電器が携帯電話１００から取り外されると、バッテリ１２６から放電が開始されるため、バッテリ１２６の充電量は減少する。次にＰ８において再び充電器が携帯電話１００の充電端子１０４に接続されると、バッテリ１２６は充電抑制制御を用いない通常の充電制御で充電される。よって、バッテリ１２６は、Ｐ８から再び充電され、Ｐ９において満充電される。このように携帯電話１００が構成されることによって、充電器が一旦取り外された場合、確実にバッテリ１２６は満充電される。
【００６９】
なお、Ｐ８において充電器が再び携帯電話１００に接続された際、通常の充電が行われる例が説明された。しかし、充電器が携帯電話１００から取り外された時点（Ｐ７の時点）から充電器が再び携帯電話１００に接続された時点（Ｐ８の時点）の間隔が所定の時間よりも短い場合、充電抑制制御に戻るように充電制御部１２０は構成されてもよい。このように携帯電話１００が構成されることによって、例え充電器が一旦取り外された場合であっても、充電抑制制御を行うことができる。
【００７０】
このとき、図１５のＰ８の時点からバッテリ１２６の充電量が準備充電量（閾値Ｔ）になるまでバッテリ１２６は充電され、最初に時刻特定部１１８によって特定された放電開始時刻の所定時間前であるＰ２の時点まで充電は停止される。また、充電器が携帯電話１００に再び接続されたＰ８の時点において、予測部１１６は再度充電可能時間を予測し、充電制御部１２０は予測された充電可能時間に基づいて再度充電抑制制御を行ってもよい。
【００７１】
＜２−７．正確度が用いられる充電抑制制御＞
以上では、本開示の充電抑制制御中において、満充電完了前に携帯電話１００の充電端子１０４から充電器が取り外された場合の処理について説明された。以下では、正確度が用いられる充電抑制制御について説明される。正確度は、例えば時刻特定部１１８が特定した放電開始時刻と、実際にユーザが携帯電話１００から充電器を取り外した時刻と、を比較することによって算出される。充電制御部１２０は、時刻特定部１１８が特定した放電開始時刻の正確度を用いて上述した充電抑制制御を行うか否かを判定する。
【００７２】
具体的には、予測部１１６は、時刻特定部１１８によって特定された放電開始時刻と、実際にユーザが携帯電話１００から充電器を取り外した時刻とが、所定の時間以上（例えば３０分以上）ずれていないか否かを判定する。ここで特定された放電開始時刻と、実際にユーザが携帯電話１００から充電器を取り外した時刻とが、所定の時間以上ずれている場合、充電可能時間の予測が誤りであると判定される。また特定された放電開始時刻と、実際にユーザが携帯電話１００から充電器を取り外した時刻とが、所定の時間以内である場合、充電可能時間の予測は正しいと判定される。予測部１１６は、上述した時刻の比較を１週間行い、充電制御部１２０はその比較の正解率が所定の値以上（例えば８０％以上）になった場合に充電抑制制御を行うように構成されてもよい。
【００７３】
図１６は、正確度が用いられた充電抑制制御の動作が表されたフロー図である。Ｓ２００からＳ２０４は、図１０のＳ１００からＳ１０４に対応する。Ｓ２０６において充電制御部１２０は、正確度を予測部１１６から受け取り、正確度が所定の値以上か否かを判定する。そして正確度が所定の値以上である場合、処理はＳ２１０に進み、充電制御部１２０は、本開示の充電抑制制御を行う。一方、Ｓ２０６において正確度が所定の値に満たないと判定されると、処理はＳ２１２に進み、充電制御部１２０は通常の充電を行う。このように情報処理装置が構成されることによって、ある一定の正確度を有する充電可能時間が予測される場合に充電抑制制御が行われる。
【００７４】
＜＜３．アプリケーションからの情報を用いた充電抑制制御＞＞
以上では、正確度が用いられる充電抑制制御の処理について説明された。以下では、アプリケーションからの情報を用いた充電抑制制御の処理について説明される。
【００７５】
携帯電話１００で実行されるアプリケーションには、時刻または予定が設定されるアプリケーションがある。時刻が設定されるアプリケーションは、例えば目覚まし機能を有するアプリケーションがあり、ユーザの予定が入力されるカレンダー機能を有するアプリケーションがある。
【００７６】
ここで、目覚まし機能が設定される時刻は、ユーザが携帯電話１００の使用を開始する時刻とみなすことができる。つまり目覚まし機能が設定される時刻は、携帯電話１００が充電器から取り外され、バッテリ１２６の放電が開始する時刻であるとみなされることができる。また、カレンダー機能において、「外出」または「帰宅」などの特定の予定が設定されている場合、それらの特定の予定の開始時刻もまた、携帯電話１００が充電器から取り外され、バッテリ１２６の放電が開始する時刻であるとみなされることができる。
【００７７】
よって、時刻特定部１１８は、目覚まし機能が設定されている時刻または特定の予定が設定されている時刻を、予測部１１６が予測した充電可能時間に基づく放電開始時刻よりも優先して、本開示の充電抑制制御を行うための放電開始時刻として特定してもよい。
【００７８】
図１７は、アプリケーションからの情報を用いた充電抑制制御の処理が示されるフロー図である。最初にＳ３００において、携帯電話１００の充電端子１０４に充電器が接続されることによって、充電が開始される。次にＳ３０２において、予測部１１６は、充電可能時間を予測する。また時刻特定部１１８は、予測部１１６から予測される充電可能時間を受け取り、放電開始時刻を特定する。
【００７９】
次にＳ３０４において時刻特定部１１８は、目覚まし機能を有するアプリケーションにおいて目覚まし機能を実行するために設定された時刻があるか否かを判定する。Ｓ３０４において、時刻特定部１１８が目覚まし機能を有するアプリケーションにおいて設定された時刻があると判定すると、処理はＳ３０６に進む。そしてＳ３０６において時刻特定部１１８は、目覚まし機能を実行するために設定された時刻を放電開始時刻として特定する。このときＳ３１２において充電制御部１２０は、Ｓ３０６において目覚まし機能を有するアプリケーションからの情報を用いて特定された放電開始時刻に基づいて、充電可能時間が所定時間以上あるか否かを判定する。
【００８０】
Ｓ３０４において時刻特定部１１８が、目覚まし機能を有するアプリケーションに設定された予定がないと判定すると、処理はＳ３０８に進む。Ｓ３０８において時刻特定部１１８は、カレンダー機能を有するアプリケーションにおいて特定の予定が設定されているか否かを判定する。Ｓ３０８において、時刻特定部１１８がカレンダー機能を有するアプリケーションにおいて特定の予定が設定されていると判定すると、処理はＳ３１０に進む。そしてＳ３１０において時刻特定部１１８は、設定されている特定の予定の開始時刻を放電開始時刻として特定する。このときＳ３１２において充電制御部１２０は、Ｓ３１０においてカレンダー機能を有するアプリケーションからの情報を用いて特定された放電開始時刻に基づいて、充電可能時間が所定時間以上あるか否かを判定する。
【００８１】
Ｓ３０８において、時刻特定部１１８がカレンダー機能を有するアプリケーションに特定の予定が設定されていないと判定すると、処理はＳ３１２に進む。このとき充電制御部１２０は、Ｓ３０２において予測部１１６が予測した充電可能時間に基づいて、充電可能時間が所定時間以上あるか否かを判定する。以下の処理では、図１０で説明された充電抑制制御と同様の処理が行われる。
【００８２】
以上説明されたように、アプリケーションに特定の時刻または予定が設定されている場合、予測部１１６が予測した充電可能時間に基づく放電開始時刻よりも優先して、アプリケーションで設定されている時刻が放電開始時刻として用いられてもよい。これによって、より信頼性が高いであろうと思われるユーザが設定した時刻または予定に基づいて本開示の充電抑制制御が行われる。
【００８３】
＜＜４．他の情報処理装置からの情報に基づく充電抑制制御＞＞
以上では、特定の時刻または予定が設定されるアプリケーションの情報に基づく充電抑制制御について説明された。以下では、他の情報処理装置からの情報に基づく充電抑制制御について説明される。
【００８４】
図１８は、携帯電話１００に近距離無線通信によって接続されるリストバンド型の小型端末２００を示す図である。小型端末２００は携帯電話１００に、Ｂｌｕｅｔｏｏｔｈ（登録商標）などの近距離無線通信インタフェースを用いて接続される。また小型端末２００は、小型端末２００が装着されるユーザの動きを検知するセンサを備えている。ユーザの動きを検知するセンサは、例えば加速度センサまたはジャイロセンサである。
【００８５】
小型端末２００はまた、上述したユーザの動きを検知するセンサからの情報に基づいて、ユーザの活動量を算出できる。図１９は、小型端末２００が算出するユーザの活動量の例を示す図である。図１９で示された例では、ユーザの活動量は、７時、１２時および１８時付近で大きくなっている。
【００８６】
図１９の例では、例えば、ユーザが起床することによって、活動量が７時付近で大きくなったと考えられる。また、ユーザが昼食のために外出したことによって、活動量が１２時付近で大きくなったと考えられる。また、ユーザが帰宅することによって、活動量が１８時付近で大きくなったと考えられる。このような起床、外出、帰宅のようなユーザの行動は、ユーザが携帯電話１００を充電器から取り外す行動と密接に関連する行動である。
【００８７】
よって、上述した小型端末２００で算出されるユーザの活動量が大きくなる時刻をバッテリ１２６からの放電が開始される時刻に代えて使用し、予測部１１６は充電可能時間を学習してもよい。このとき、算出された活動量は携帯電話１００に記憶される。そして予測部１１６は、活動量が大きくなる時刻をバッテリ１２６からの放電が開始される時刻として、充電可能時間を学習する。また予測部１１６は、上述した例と同様に、１週間以上の活動量のデータを用いて充電可能時間を学習してもよい。
【００８８】
以上のように携帯電話１００が構成されることによって、ユーザの行動に基づいて充電抑制制御が行われる。これによって、過充電が抑制されつつ、ユーザが充電器を携帯電話１００から取り外すことが予想される行動を行うときに、バッテリ１２６が満充電される。
【００８９】
＜＜５．補足＞＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属する。
【００９０】
例えば、充電可能時間は、携帯電話１００の充電端子１０４が充電器に接続された時点（図４におけるＰ０の時点）で予測され、さらにバッテリ１２６が準備充電量まで充電された時点（図４におけるＰ１の時点）で再び予測されてもよい。つまり予測部１１６は、充電可能時間を複数回予測してもよい。これによって、例えば最初ユーザが、充電可能時間が短いと判定される時刻（例えば図６における５時）に充電を開始し、充電がその後も継続され充電可能時間が所定の時間以上あると判定される時刻（例えば図６における１０時）まで継続された場合に、充電抑制制御が行われる。
【００９１】
また、上述した例では、予測部１１６は、記憶部１１４に記憶された充電可能時間に関するデータを用いて充電可能時間を予測した。しかし予測部１１６は、充電可能時間に代えて放電開始時刻を予測し、携帯電話１００の充電端子１０４に充電器が接続されたときに、その時刻と予測された放電開始時刻とを比較することによって充電可能時間を予測してもよい。またこのとき時刻特定部１１８は、予測部１１６が予測した放電開始時刻を用いて放電開始時刻を特定してもよい。
【００９２】
また、図１７で説明された例では目覚まし機能を有するアプリケーションおよびカレンダー機能を有するアプリケーションが用いられる例が説明された。しかし、時刻または予定が設定されるアプリケーションはこれらに限られない。また、上述した例では、目覚まし機能を有するアプリケーションが、カレンダー機能を有するアプリケーションに優先して放電開始時刻を特定するために用いられた。しかし、考慮されるアプリケーションの優先順位は上述した例に限られない。
【００９３】
また、時刻が設定されるアプリケーションが複数ある場合、放電開始時刻を特定するために用いられアプリケーションの優先順位は、ユーザによって設定されてもよい。このとき、携帯電話１００は、上述したアプリケーションの優先順位を設定するための設定画面を表示するように構成されてもよい。
【００９４】
また、予測部１１６および充電制御部１２０を上述したように動作させるためのコンピュータプログラムが提供されてもよい。また、このようなプログラムが記憶された記憶媒体が提供されてもよい。
【００９５】
＜＜６．むすび＞＞
以上説明したように、本開示の情報処理装置では、バッテリ１２６の充電が準備充電量で停止され、特定された放電開始時刻に基づいて充電が再開される充電抑制制御が行われる。これによってバッテリ１２６が過充電状態で維持される時間が短くされるとともに、ユーザが情報処理装置を使用したいときにバッテリ１２６が満充電されるので、ユーザにとって利便性が高い充電方法が提供される。
【００９６】
また、本開示の実施形態に係る情報処理装置では、時刻が設定されるアプリケーションからの情報に基づいて放電開始時刻が特定される。これによって、より信頼性が高いであろうと思われるユーザが設定した時刻に基づいて本開示の充電抑制制御が行われる。
【００９７】
また、本開示の実施形態に係る情報処理装置では、他の情報処理装置の情報から得られるユーザの活動量に基づいて放電開始時刻が特定される。これによって、ユーザの行動に基づいた充電抑制制御が行われる。
【００９８】
また、本明細書に記載された効果は、あくまで例示であって限定的ではない。つまり、本開示に係る技術は、上記の効果とともに、または上記の効果に代えて、本明細書の記載から当業者には明らかな他の効果を奏しうる。
【００９９】
なお、以下のような構成も本開示の技術的範囲に属する。
（１）
バッテリの充電量を検知する充電量検知部と、
充電回路を制御する充電制御部と、
前記バッテリの放電がいつ開始されるかを特定する特定部と、を備え、
前記充電制御部は、前記充電量検知部が検知する前記充電量に基づいて前記バッテリの満充電量より少ない準備充電量まで前記バッテリを充電し、
前記バッテリの充電量が前記準備充電量に達したときに前記バッテリの充電を停止し、
前記バッテリの放電が開始される前に前記準備充電量から前記バッテリの充電を再開する、充電抑制制御を行うように前記充電回路を制御する、情報処理装置。
（２）
前記バッテリを充電するための充電器が接続される充電端子をさらに備え、
過去に前記充電端子に前記充電器が接続された時刻および前記充電端子から前記充電器が取り外された時刻に関する充放電時刻情報に基づいて前記バッテリの放電が開始されるまでの充電可能時間を予測する、予測部をさらに備える、前記（１）に記載の情報処理装置。
（３）
前記特定部は、前記予測部が予測する前記充電可能時間に基づいて、前記バッテリの放電が開始される時刻を特定する、前記（２）に記載の情報処理装置。
（４）
前記予測部は、１以上の週の前記充放電時刻情報に基づいて前記充電可能時間を導出する、前記（３）に記載の情報処理装置。
（５）
前記予測部は、前記１以上の週において対応する曜日の前記充放電時刻情報に基づいて前記充電可能時間を導出する、前記（４）に記載の情報処理装置。
（６）
前記予測部は、前記１以上の週の異なる週の前記充放電時刻情報に対して異なる重みづけを行うことにより、前記充電可能時間を導出する、前記（４）または前記（５）に記載の情報処理装置。
（７）
前記充電制御部は、前記充電可能時間が所定の時間以上ある場合、前記充電抑制制御を行う、前記（２）から前記（６）のいずれか１項に記載の情報処理装置。
（８）
前記特定部は、前記情報処理装置の状態に基づいて前記準備充電量から充電を再開する時刻を変更する、前記（２）から前記（７）のいずれか１項に記載の情報処理装置。
（９）
前記充電制御部は、前記準備充電量まで段階的に前記バッテリを充電するように、前記充電回路を制御する、前記（１）から前記（８）のいずれか１項に記載の情報処理装置。
（１０）
前記充電制御部は、前記準備充電量まで前記バッテリを充電するとき、所定時間ごとに前記バッテリを充電するように前記充電回路を制御する、前記（９）に記載の情報処理装置。
（１１）
前記充電制御部は、前記準備充電量まで前記バッテリを充電するとき、所定の充電量ごとに前記バッテリを充電するように前記充電回路を制御する、前記（９）に記載の情報処理装置。
（１２）
表示部と、
前記表示部に表示する情報を生成する処理部と、をさらに備え、
前記処理部は、前記充電抑制制御が行われていることを示す表示を前記表示部に表示する、前記（１）から前記（１１）のいずれか１項に記載の情報処理装置。
（１３）
アプリケーションを実行する処理部をさらに備え、
前記特定部は、前記アプリケーションからの情報に基づいて前記バッテリの放電が開始される時刻を特定する、前記（１）から前記（１２）のいずれか１項に記載の情報処理装置。
（１４）
前記アプリケーションは目覚まし機能を有するアプリケーションであり、
前記特定部は、前記目覚まし機能が実行される時刻を前記バッテリの放電が開始される時刻として特定する、前記（１３）に記載の情報処理装置。
（１５）
前記アプリケーションはカレンダー機能を有するアプリケーションであり、
前記カレンダー機能を有するアプリケーションにおいて特定の予定が設定されている場合、前記特定部は、前記特定の予定が設定されている時刻を前記バッテリの放電が開始される時刻として特定する、前記（１３）に記載の情報処理装置。
（１６）
他の情報処理装置からの情報に基づいて充電可能時間を予測する予測部を備える、前記（１）に記載の情報処理装置。
（１７）
前記他の情報処理装置からの情報は、前記他の情報処理装置が備える前記他の情報処理装置の動きを検知するセンサに基づく情報である、前記（１６）に記載の情報処理装置。
（１８）
バッテリの充電量を検知する充電量検知部と、
充電回路を制御する充電制御部と、
前記バッテリの放電がいつ開始されるかを特定する時刻特定部と、を備え、
前記充電制御部は、前記充電量検知部が検知する前記充電量に基づいて前記バッテリの満充電量より少ない準備充電量まで前記バッテリを充電し、
前記バッテリの充電量が前記準備充電量に達したときに前記バッテリの充電を停止し、
前記バッテリの放電が開始される前に前記準備充電量から前記バッテリの充電を再開する、充電抑制制御を行うように前記充電回路を制御する、情報処理システム。
（１９）
バッテリの充電量を検知することと、
前記バッテリの放電がいつ開始されるかを特定することと、
検知された前記バッテリの前記充電量に基づいて前記バッテリの満充電量より少ない準備充電量まで前記バッテリを充電することと、
前記バッテリの充電量が前記準備充電量に達したときに前記バッテリの充電を停止することと、
前記バッテリの放電が開始される前に前記準備充電量から前記バッテリの充電を再開する、充電抑制制御を行うように充電回路を制御することと、を含む充電方法。
【符号の説明】
【０１００】
１００    携帯電話
１０２    表示部
１０４    充電端子
１０６    発光部
１０８    タッチパネル
１１０    セルラ通信部
１１２    処理部
１１４    記憶部
１１６    予測部
１１８    時刻特定部
１２０    充電制御部
１２２    充電回路
１２４    充電量検知部
１２６    バッテリ
１２８    ステータスバー
１３０    充電モード表示アイコン
２００    小型端末
【図１】
2018012055.tif 000003
【図２】
2018012055.tif 000004
【図３】
2018012055.tif 000005
【図４】
2018012055.tif 000006
【図５】
2018012055.tif 000007
【図６】
2018012055.tif 000008
【図７】
2018012055.tif 000009
【図８】
2018012055.tif 000010
【図９】
2018012055.tif 000011
【図１０】
2018012055.tif 000012
【図１１】
2018012055.tif 000013
【図１２】
2018012055.tif 000014
【図１３】
2018012055.tif 000015
【図１４】
2018012055.tif 000016
【図１５】
2018012055.tif 000017
【図１６】
2018012055.tif 000018
【図１７】
2018012055.tif 000019
【図１８】
2018012055.tif 000020
【図１９】
2018012055.tif 000021
【国際調査報告】
2018012055.tif 000022
2018012055.tif 000023
2018012055.tif 000024
2018012055.tif 000025